(57)【特許請求の範囲】
【請求項１】
アミノプロピルフェニルトリメチコンであるシリコーン化合物を含有することを特徴とする柔軟剤組成物。
【請求項２】
アミノプロピルフェニルトリメチコンが下記式（１）を有する、請求項１記載の柔軟剤組成物。
【化１】
0006575981.tif 000012
（式中ｎは、平均重合度を表す。）
【請求項３】
シリコーン化合物としてさらに両末端型アミノ変性シリコーンを含有する、請求項１又は２記載の柔軟剤組成物。
【請求項４】
両末端型アミノ変性シリコーンが下記式（５）を有する、請求項３記載の柔軟剤組成物。
【化２】
0006575981.tif 000013
（式中、ｃおよびｄは平均重合度を表す。）
【請求項５】
前記シリコーン化合物の含有量が０．１〜１０.０重量％である、請求項１〜４のいずれか１項記載の柔軟剤組成物。
【請求項６】
さらに調合香料を含む、請求項１〜５のいずれか１項記載の柔軟剤組成物。
【請求項７】
さらに界面活性剤を含む、請求項１〜６のいずれか１項記載の柔軟剤組成物。
【請求項８】
界面活性剤が陽イオン界面活性剤及び非イオン界面活性剤の混合物である、請求項７記載の柔軟剤組成物。
【発明の詳細な説明】
【技術分野】
【０００１】
本発明は残香性に優れた繊維製品の柔軟剤組成物に関する。
【背景技術】
【０００２】
近年では、柔軟性の付与のみならず、香気の付与を目的に柔軟剤を使用する消費者が増えており、その香気の特徴や残香性は消費者が製品を選択する際の重要な要素となっている。しかしながら、柔軟剤への香料の配合量に残香性は比例せず、残香性を得ることは困難であった。またカプセル化された香料を配合する柔軟剤を使用して、繊維製品に香気成分を付与することが行われているが、何らかの物理的な接触に応じて香気を揮散させる素材であるため、香気の残香性を達成する手段とは異なる。
従来には、安定な乳化構造を付与し、繊維への吸着性、柔軟性、残香性を付与する等の性能を向上させる柔軟仕上げ剤において、種々のシリコーン化合物が使用できることが知られている（特許文献１）。
また、残香性を高めるためおよび柔軟性を高めるために、側鎖にアミノ基を導入した特定の構造を有するアミノ変性シリコーン化合物を含有する柔軟剤が知られている（特許文献２）。
また、アルデヒド系香料成分と酸化防止剤とジメチルポリシロキサンやポリエーテル変性シリコーン等のシリコーン類を特定の比率で含む着香剤組成物により香りの劣化を効果的に抑制できることが知られている（特許文献３）。
【先行技術文献】
【特許文献】
【０００３】
【特許文献１】特開２００７−１１９９６４号公報
【特許文献２】特開２００７−２４７１０１号公報
【特許文献３】特開２０１０−０３７４７２号公報
【発明の概要】
【発明が解決しようとする課題】
【０００４】
従来の柔軟剤組成物では、繊維製品の処理直後から急速に香気が失われていき、処理後に十分な強度の香気を残存させる、すなわち高い残香性を付与するには至っていない。
【課題を解決するための手段】
【０００５】
本発明者は、上記課題を解決するために鋭意検討した結果、特にアミノプロピルフェニルトリメチコン及び両末端型アミノ変性シリコーンから選択されるシリコーン化合物を含有する柔軟剤組成物が、従来の柔軟剤に比べ、高い残香性を示すことを見出して、本発明を完成した。
【０００６】
すなわち、本発明は以下の［１］〜［７］に関するものである。
［１］アミノプロピルフェニルトリメチコン及び両末端型アミノ変性シリコーンから選択されるシリコーン化合物を含有することを特徴とする柔軟剤組成物。
［２］シリコーン化合物が下記式（１）のアミノプロピルフェニルトリメチコンである［１］記載の柔軟剤組成物。
【化１】
0006575981.tif 000002
（式中ｎは、平均重合度を表す。）
［３］シリコーン化合物が下記式（２）の両末端型アミノ変性シリコーンである、［１］又は［２］記載の柔軟剤組成物。
【化２】
0006575981.tif 000003
（式中、Ｒ1は炭素数１〜５のアルキル基を表し、Ｒ2は炭素数１〜５のアルキル基、またはフェニル基を表し、ｍおよびｌは平均重合度を表す。）
［４］前記シリコーン化合物の含有量が０．１〜１０.０重量％である、［１］〜［３］のいずれか記載の柔軟剤組成物。
［５］さらに調合香料を含む、［１］〜［４］のいずれか記載の柔軟剤組成物。
［６］さらに界面活性剤を含む、［１］〜［５］のいずれか記載の柔軟剤組成物。
［７］界面活性剤が陽イオン界面活性剤及び非イオン界面活性剤の混合物である、［６］記載の柔軟剤組成物。
【発明の効果】
【０００７】
本発明の柔軟剤組成物は、従来の柔軟剤では実現できない優れた残香性を繊維製品に付与することができる。
【発明を実施するための形態】
【０００８】
本発明に使用されるアミノプロピルフェニルトリメチコンは、下記一般式（１）により表すことができる。
【化３】
0006575981.tif 000004
（式中ｎは、平均重合度を表す。）
【０００９】
アミノプロピルフェニルトリメチコンは、市販のものを用いてもよく、公知の製造方法によって入手したものを用いてもよい。例えば、シリコーンオイルの状態で２５℃における動粘度が１，０００〜１０，０００ｍｍ2/ｓであり、５００〜５，０００ｍｍ2/ｓであるものが好ましく、８００〜３０００ｍｍ2/ｓであるのがより好ましい。２５℃における動粘度は、オストワルト型粘度計で求めることができる。
また、アミノ当量は、例えば１５０〜２５，０００ｇ／ｍｏｌであり、２００〜２０，０００ｇ／ｍｏｌであるのが好ましく、２５０〜１８，０００ｇ／ｍｏｌであるのがより好ましい。アミノ当量はアミノプロピルフェニルトリメチコンの重量平均分子量をアミノプロピルフェニルトリメチコンに含まれる窒素原子数で割ることにより求められる。
また、平均重合度ｎは、例えば１〜３００であり、１〜１５０であるものがより好ましく、１〜１２５であるものが特に好ましい。
【００１０】
このようなアミノフェニルトリメチコンとしては、２−２０７８Ｆｌｕｉｄ（東レ・ダウコーニング・シリコーン株式会社製）が市販されており、本発明のアミノフェニルトリメチコンとして使用することができる。
【００１１】
本発明に使用される両末端型アミノ変性シリコーンは、下記一般式（２）により表すことができる。
【化４】
0006575981.tif 000005
（式中、Ｒ1は炭素数１〜５のアルキル基を表し、Ｒ2は炭素数１〜５のアルキル基、またはフェニル基を表し、ｍおよびｌは平均重合度を表す。）
【００１２】
両末端型アミノ変性シリコーンは、市販のものを用いてもよく、公知の製造方法によって入手したものを用いてもよい。例えば、シリコーンオイルの状態で２５℃における粘度が１０〜１，０００ｍｍ2／ｓであるものを使用することが可能であり、２５〜５００ｍｍ2／ｓであるのが好ましく、５０〜２００ｍｍ2/ｓであるのがより好ましい。２５℃における動粘度は、オストワルト型粘度計で求めることができる。
また官能基当量は５００〜２，０００ｇ／ｍｏｌであるのがより好ましい。官能基当量は両末端型アミノ変性シリコーンの官能基１ｍｏｌ当たりに結合しているオルガノポリシロキサンの質量を意味する。
重量平均分子量は例えば１００〜１０，０００ｇ/ｍｏｌであればよく、２５０〜７，５００ｇ/ｍｏｌが好ましく、５００〜５，０００ｇ/ｍｏｌがさらに好ましい。
【００１３】
このような両末端型アミノ変性シリコーンとしては、Ｘ２２−１６１Ｂ及びＸ２２−９４０９（いずれも信越化学工業株式会社製）が市販されており、本発明の両末端型アミノ変性シリコーンとして使用することができる。
【００１４】
本発明の柔軟剤組成物は、シリコーン化合物として、アミノプロピルフェニルトリメチコン及び両末端型アミノ変性シリコーンを組み合わせて含んでもよい。柔軟剤組成物におけるシリコーン化合物の含有量は、例えば０．１〜１０.０重量％であり、好ましくは０．５〜５.０重量％であり、より好ましくは０．８〜２.０重量％である。また、本発明のシリコーン化合物は、オイルの形態または公知の方法で乳化したエマルジョンの形態で用いることができる。
【００１５】
本発明の柔軟剤組成物は、好ましくはさらに界面活性剤を含む。本発明では、界面活性剤として、両性界面活性剤、非イオン界面活性剤、陰イオン界面活性剤および陽イオン界面活性剤を単独または２種類以上の界面活性剤を併用することができ、陽イオン界面活性剤と非イオン界面活性剤を組み合わせて併用されることが好ましい。併用できる界面活性剤は柔軟剤に用いられるものであれば特に限定されない。
【００１６】
本発明の柔軟剤組成物において、界面活性剤は１０〜３０重量％、好ましくは１２〜２５重量％、より好ましくは１５〜２０重量％の割合で含有させることができる。また、特に陽イオン界面活性剤と非イオン界面活性剤を組み合わせて併用する場合、両者の比率は例えば５０：５０〜９９：１、好ましくは７０：３０〜９５：５、より好ましくは８０：２０〜９０：１０とすることができる。
【００１７】
両性界面活性剤としては、例えばアルキルアミノ脂肪酸塩、アルキルベタイン、アルキルアミンオキシドが用いられ、アルキルアミノ脂肪酸塩が好ましい。
【００１８】
非イオン界面活性剤としては、例えばポリオキシエチレンアルキルエーテル、ペンタエリスリトール脂肪酸エステルなどが用いられ、好ましくは、ポリオキシエチレンアルキルエーテルが用いられる。ポリオキシエチレンアルキルエーテルとしては、ポリオキシエチレンノナニル−２エーテル、ポリオキシエチレンウンデカニル−２エーテル、ポリオキシエチレンドデカニル−２、ポリオキシエチレンドデセニル−２エーテル、ポリオキシエチレントリデカニル−２エーテル、ポリオキシエチレンテトラデカニル−２エーテル、ポリオキシエチレンカプリルエーテル、ポリオキシエチレンラウリルエーテル、ポリオキシエチレントリデシルエーテル、ポリオキシエチレンイソトリデシルエーテル、ポリオキシエチレンミリスチルエーテル、ポリオキシエチレンポリオキシプロピレングリコールまたはポリオキシエチレンポリオキシプロピレンアルキルエーテルなどが挙げられる。
【００１９】
陰イオン界面活性剤としては、例えばアルキルエーテル硫酸エステル塩、脂肪酸ナトリウム、直鎖アルキルベンゼンスルホン酸ナトリウム、アルファスルホン化脂肪酸エステルナトリウム、アルキル硫酸エステルナトリウム、アルファオレフィンスルホン酸ナトリウムおよびアルキルスルホン酸ナトリウムなどが用いられる。
【００２０】
陽イオン界面活性剤としては、特に限定されないが、第4級アンモニウム塩、エステルアミド型ジアルキルアミン塩、エステルアミド型ジアルキルアンモニウム塩およびエステル型カチオン等が用いられ、好ましくは第4級アンモニウム塩またはエステル型カチオン、さらに好ましくはエステル型カチオンが用いられる。
【００２１】
本発明の柔軟剤組成物は、好ましくはさらに調合香料を含む。本発明の柔軟剤組成物に使用される調合香料は、特に限定されないが、下記に示した特開２００２-３２７１９３号公報に記載されている香気成分を任意に組み合わせて使用することができる。
【００２２】
トップノート成分としてリモネン、ｐ−サイメン、α−ピネン、β−ピネン、テルピノーレン、シス−３−ヘキセン−１−オール、トランス−２−ヘキセノール、１−ペンテン−３−オール、１−オクテン−３−オール、２，６−ジメチルヘプタン−２−オール、ミルセノール、ジヒドロミルセノール、l−メントール、p−クレジルメチルエーテル、ヘキサナール、トランス−２−ヘキセナール、オクタナール、ノナナール、シネンサール、メチルヘプテノン、１，４−シネオール、１，８−シネオール、リモネンオキサイド、２−メチル酪酸エチル、プロピオン酸エチル、プロピオン酸シス−３−ヘキセニル、酢酸エチル、酢酸ブチル、酢酸イソアミル、酢酸シス−３−ヘキセニル、酢酸トランス−２−ヘキセニル、酢酸ヘキシル、酢酸ミルセニル、酢酸プレニル、安息香酸メチル、酢酸アミル、酪酸エチル、酪酸イソアミル、酪酸アミル、酪酸アリル、２−メチル酪酸エチル、アセト酢酸エチル、吉草酸エチル、イソ吉草酸シス−３−ヘキセニル、カプロン酸エチル、カプロン酸アリル、ヘプタン酸エチル、オクタン酸エチル、８−メルカプトメントン、レモン油、オレンジ油、ライム油、ベルガモット油、ユーカリ油、マンダリン油を使用することできる。
【００２３】
ミドルノート成分として３−フェニルプロピルアルコール、α−フェンコン、９−デセン−１−オール、ジメチルオクタノール、シトロネロール、ゲラニオール、テトラヒドロムゴール、リナロール、テトラヒドロリナロール、ネロール、エチルリナロール、ターピネオール、テトラヒドロゲラニオール、テトラヒドロミルセノール、α−フェンキルアルコール、メチルオイゲノール、オイゲノール、ジメチルベンジルカルビノール、ジメチルフェニルエチルカルビノール、ジフェニルオキサイド、デュピカール、蟻酸シトロネリル、蟻酸ゲラニル、ジャスマール、酢酸ベンジル、酢酸ジメチルベンジルカルビニル、酢酸リナリル、酢酸ネリル、酢酸o-tertブチルシクロヘキシル、酢酸p-tertブチルシクロヘキシル、シクロヘキシルオキシ酢酸アリル、酢酸フェンキル、酢酸シトロネリル、酢酸ゲラニル、酢酸テトラヒドロゲラニル、酢酸テルペニル、酢酸ジヒドロテルペニル、酢酸イソボルニル、酢酸ｌ−メンチル、酢酸ノニル、酢酸トリシクロデセニル、酢酸p−クレジル、酢酸２−フェニルエチル、酢酸３−フェニルプロピル、酢酸スチラリル、酢酸ジメチルフェニルエチルカルビニル、酢酸１−エチニルシクロヘキシル、ヘプタン酸アリル、プロピオン酸イソブチル、プロピオン酸２−フェニルエチル、プロピオン酸シトロネリル、プロピオン酸ベンジル、プロピオン酸トリシクロデセニル、酪酸シス−３−ヘキセニル、酪酸シクロヘキシル、イソ酪酸３−フェニルプロピル、酪酸ジメチルベンジルカルビニル、プロピオン酸ゲラニル、プロピオン酸アリル、シクロヘキシル酪酸アリル、アンスラニル酸シス−３−ヘキセニル、フェニル酢酸イソブチル、サリチル酸イソブチル、サリチル酸２−フェニルエチル、ヘプチンカルボン酸メチル、オクチンカルボン酸メチル、オクタン酸p−クレジル、安息香酸シス−３−ヘキセニル、アリルアミルグリコレート、シクロガルバネート、β−フェニルエチルアルコール、アフェルマート、ベンジルアルコール、アニスアルコール、ゲラニアール、シトラール、ネラール、デカナール、ウンデカナール、１０−ウンデセナール、ドデカナール、シクロシトラール、イソシクロシトラール、アニスアルデヒド、フェニルアセトアルデヒド、ヒドラトロップアルデヒド、ヒドロキシシトロネラール、マイラックアルデヒド、ホモマイラックアルデヒド、２−メチル−３−（ｐ−メトキシフェニル）−プロパナール、リリアール、コアボン、トリプラール、リメトール、フロラロゾン、２−ペンチルシクロペンタノン、l−カルボン、メントン、ゲラニルアセトン、p−メチルアセトフェノン、シトロネラール、シトロネリルオキシアセトアルデヒド、メチルフェニルグリシド酸エチル、ヒドロキシシトロネラールジメチルアセタール、フェニルアセトアルデヒドジメチルアセタール、メチルノニルアセトアルデヒドジメチルアセタール、アセトアルデヒド２−フェニル−２，４−ペンタンジオールアセタール、アセト酢酸エチルプロピレングリコールアセタール、ヒドラトロパアルデヒドジメチルアセタール、ヒドラトロパアルデヒドエチレングリコールアセタール、エストラゴール、グアヤコール、アネトール、p−クレゾール、ゲラニルニトリル、シトロネリルニトリル、インドール、ルボフィッ���ス、チオゲラニオール、アセチルセドレン、ウインターグリーン油、ショウノウ油、ホウショウ油を使用することができる。
【００２４】
ベースノート成分としてパチュリアルコール、ｐ−tert−ブチルシクロヘキサノール、シンナミックアルコール、β−カリオフィレン、酢酸グアヤック、酢酸シンナミル、酪酸ゲラニル、酪酸シトロネリル、フェニル酢酸、サリチル酸アミル、サリチル酸イソアミル、サリチル酸ベンジル、サリチル酸シス−３−ヘキセニル、サリチル酸ヘキシル、アントラニル酸メチル、N−メチルアントラニル酸メチル、安息香酸ベンジル、フタール酸ジエチル、イソ酪酸フェノキシエチル、イソ酪酸ゲラニル、イソ吉草酸ゲラニル、ケイ皮酸シンナミル、ケイ皮酸エチル、フェニル酢酸シトロネリル、フェニル酢酸ｐ−クレジル、フェニル酢酸フェニルエチル、フェニル酢酸オイゲニル、フェニル酢酸イソオイゲニル、イソロンギホラノン、メチルアトラレート、テトラデカナール、α−アミルシンナミックアルデヒド、ヒドロシンナミックアルデヒド、サイクラメンアルデヒド、リラール、ラズベリーケトン、イソジャスモン、シスジャスモン、ダマスコン類、ダマセノン類、バニリン、エチルバニリン、ヘリオナール、ヘリオトロピン、α−n−ヘキシルシンナミックアルデヒド、オーランチオール、α−ダイナスコン、イオノン類、メチルイオノン類、イロン類、イソオイゲノール、メチルオイゲノール、メチルイソオイゲノール、ベンジルイソオイゲノール、β−メチルナフチルケトン、β−ナフチルメチルエーテル、β−ナフチルエチルエーテル、２−メチルウンデカナールジメチルアセタール、２−メチル−３−（p−メトキシフェニル）プロパノール、ネロリドール、マルトール、エチルマルトール、合成サンダル、合成ムスク、γ−オクタラクトン、γ−ウンデカラクトン、γ−デカラクトン、γ−ノニルラクトン、δ−ドデカラクトン、メチルジヒドロジャスモネート、イソ−E−スーパー、セドリルメチルエーテル、イソブチルキノリン、アンブロキサン、チンベロール、ローズオキシド、ローズフェノン、ロンギホレン、オークモス油、オポポナックス油、コパイバ油、サンダルウッド油、シダーウッド油、トルーバルサム油、ペルーバルサム油、ベンゾイン油、バニラ油を使用することができる。
【００２５】
さらにカプセル化香料を併用することで、処理後の香調を変化させることも可能である。
【００２６】
本発明の柔軟剤組成物に対して、調合香料は、０．０１％以上、２０％未満で配合してもよく、好ましくは０．０１％以上、１０％未満、さらに好ましくは０．０５％以上、８％未満で配合してもよい。
【００２７】
本発明の柔軟剤組成物は、その他成分として、ｐＨ調整剤、安定化剤、粘度調整剤、金属イオン封鎖剤、着色剤および酸化防止剤等を本発明の効果を損なうことの無い範囲で含有することができる。
ｐＨ調整剤としては、ギ酸、塩酸、硫酸、アルキル硫酸、安息香酸、パラトルエンスルホン酸、クエン酸、クエン酸塩、リンゴ酸、コハク酸、乳酸、グリコール酸、ヒドロキシエタンジホスホン酸、フィチン酸、エチレンジアミン四酢酸、水酸化ナトリウム、トリエタノールアミン、ジエタノールアミン、エタノールアミン、ジメチルアミン、Ｎ−メチルエタノールアミン、Ｎ−メチルジエタノールアミンおよび塩化カルシウムが挙げられ、塩化カルシウムが特に好ましい。
【００２８】
安定化剤としては、プロピレングリコール、グリセリン、ＨＥＤＰナトリウム塩、ホウ酸、エチルアルコール、クメンスルホン酸ナトリウム、水添ヒマシ油、エチレングリコール、ポリオキシエチレンアルキルエーテルおよびジエチレングリコールモノブチルエーテルが挙げられる。
【００２９】
粘度調整剤としては、塩化ナトリウムや塩化カルシウムなどの無機塩およびカチオンポリマーが挙げられる。
【００３０】
金属イオン封鎖剤としては、アミノ酸系金属封鎖剤、エチレンジアミン四酢酸ナトリウムおよびＤＴＰＭＰ塩が挙げられる。
【００３１】
着色剤としては公知の酸性染料および直接染料などの水溶性染料が挙げられる。
【００３２】
酸化防止剤としては、特に限定されないが、ブチル化ヒドロキシトルエン（ＢＨＴ）、ブチル化ヒドロキシアニソール（ＢＨＡ）、トコフェノール、ＥＤＴＡ、β−ナフトール、ケルセチンおよびフェニル−α−ナフチルアミン等が挙げられ、ブチル化ヒドロキシトルエン（ＢＨＴ）、ブチル化ヒドロキシアニソール（ＢＨＡ）、トコフェノールおよびＥＤＴＡが好ましい。
【００３３】
また、本発明の柔軟剤組成物は、本発明の効果を損なうことの無い範囲で市販等されている公知の柔軟剤をさらに含んでもよく、または前記柔軟剤と混合または併用してもよい。
【実施例】
【００３４】
実施例および比較例で用いた各成分をまとめて以下に示す。
【００３５】
＜（ａ）成分＞シリコーン
(ａ―１)アミノプロピルフェニルトリメチコンとして、下記式（３）で表される東レ・ダウコーニング・シリコーン株式会社製２−２０７８Ｆｌｕｉｄを用いた。
（２５℃における動粘度９００〜２８００ｍｍ2/ｓ、アミノ当量３００〜１５，０００ｇ/ｍｏｌ、平均重合度１００未満）
【化５】
0006575981.tif 000006
（式中ａは平均重合度を表す。）
【００３６】
(ａ−２)両末端にアミノ基を有するジアミノ変性シリコーンとして下記式（４）で表される信越化学工業株式会社製Ｘ２２−１６１Ｂを用いた。
（２５℃における動粘度５５ｍｍ2/ｓ、官能基等量１，５００ｇ/ｍｏｌ）
【化６】
0006575981.tif 000007
（式中ｂは平均重合度を表す。）
【００３７】
(ａ−３)末端にアミノ基、及びフェニル基を有するアミノ変性シリコーンとして下記式（５）で表される信越化学工業株式会社製Ｘ２２−９４０９を用いた。
（２５℃における動粘度１０５ｍｍ2/ｓ、官能基等量６７０ｇ/ｍｏｌ）
【化７】
0006575981.tif 000008
（式中ｃおよびｄは平均重合度を表す。）
【００３８】
比較例に用いた配合成分を以下に示す。
＜（ｂ）成分＞シリコーン
(ｂ−１)  アモジメチコン（ＫＦ−８６７  信越化学工業株式会社製）
（２５℃における動粘度：１，３００ｍｍ2/ｓ、官能基当量：１７００ｇ/ｍｏｌ）
【化８】
0006575981.tif 000009
（式中eおよびfは平均重合度を表す）
【００３９】
(ｂ−２)  ジメチコン（ＫＦ−９６−１，０００ｃｓ  信越化学工業株式会社製）（２５℃における動粘度：１，０００ｍｍ2/ｓ）
【化９】
0006575981.tif 000010
（式中ｇは平均重合度を表す）
【００４０】
＜（ｃ）成分＞陽イオン界面活性剤
（ｃ−１）
トリ(オキシエチレン)メチルアンモニウム塩メチルサルフェートの脂肪酸エステル
【００４１】
＜（ｄ）成分＞非イオン界面活性剤
（ｄ−１）：炭素数１２の飽和アルコールにエチレンオキサイドを平均20モル付加させた非イオン界面活性剤
（ｄ−２）
炭素数１２〜１４の直鎖第一級アルコールにエチレンオキサイドを平均5モル、プロピレンオキサイドを平均2モル、エチレンオキサイドを平均3モルの順に付加させた非イオン界面活性剤
【００４２】
＜その他成分＞
（ｅ−１）：塩化カルシウム（ｐＨ調製剤）
（ｆ−１）：フローラル系調合香料
【００４３】
評価法
市販木綿タオル（綿１００％）を全自動洗濯機に入れ、市販の弱アルカリ性洗剤で洗濯した。２Ｌビーカーに水道水を２Ｌ、各柔軟剤組成物を１ｇ混合した溶液に、洗濯後の市販木綿タオルを入れ、濯ぎ工程を行った。その後、タオルを25℃、50％ＲＨ条件下で自然乾燥した。
【００４４】
残香性評価方法
上記処理したタオルの乾燥後の残香性を、5名のパネラーにより下記の基準で判定し平均点を求めた。
・残香性の評価基準
３・・・残香がある
２・・・やや残香がある
１・・・僅かに残香がある
０・・・残香がない。
残香性評価点において、２．０点以上はよい状態であり、２．５以上は非常に良好である。
【表１】
0006575981.tif 000011
【００４５】
比較例１，２は、残香性がなくなっていたが、実施例１〜３は、いずれも香料成分の残香性が確認された。